(57)【要約】      （修正有）【課題】使用時に違和感のない外貌を与えるフェイスパックの補助具を提供する。【解決手段】シート状の可撓性の本体１０からなり、該本体の表裏相対する第一面１１と第二面１２において、該第一面１１はインク等による図案２０を表示し、第二面１２は疏水性を備えてフェイスパック３０をセットすると共に頭部に対して着脱自在な取り付け構造とする。顔面にフェイスパック３０を貼付して、本体１０延長部を頭部に廻して面ファスナーなどにより固定する。第一面１１の図案２０により、ファイスパック３０使用時に違和感のない外貌とすることが出来る。【選択図】図５
0003204434.tif 000002
【実用新案登録請求の範囲】
【請求項１】
可撓性のシート状の本体を備え、また表裏相対する第一面、第二面を備え、頭部に対して着脱自在の取り付け構造を備えるフェイスパックの補助具であって、
該第一面をインクで彩色した図案の表示面とし、
該第二面を疎水性のファイスパック取り付け面とした、
ことを特徴とするフェイスパックの補助具。
【請求項２】
前記本体は、左右対称に第一面及び第二面を貫通した眼に対応する開口、第一面及び第二面を貫通した眼口対応する開口、鼻部に貼り合わさる嵌合部を設けたことを特徴とする請求項１記載のフェイスパックの補助具。
【請求項３】
前記フェイスパックの補助具の取り付け構造は、本体に複数の連結部が突出・延長して形成され、該複数の連結部は更にそれぞれ相対応して粘着テープを設置し、連結部と粘着テープによって、本体を頭部に着脱可能としたことを特徴とする請求項１もしくは２記載のフェイスパックの補助具。
【請求項４】
前記フェイスパックの補助具は、本体の第二面にフェイスパックを着脱する定位構造を設けたことを特徴とする請求項１もしくは２記載のフェイスパックの補助具。
【請求項５】
前記フェイスパックの補助具の定位構造は、複数の面ファスナーで構成されることを特徴とする請求項４記載のフェイスパックの補助具。
【考案の詳細な説明】
【技術分野】
【０００１】
本考案は、フェイスパックの補助具に関するもので、フェイスパックのフェイスケア時に楽しみと視覚効果を添える。
【背景技術】
【０００２】
フェイスパックは、内部に肌をケアする美容液を含む。フェイスパックを顔に置いて、顔全体を覆うと、顔部の温度が上昇して毛穴が開き、細胞が活性化して美容液の浸透を助け、良好なケア効果を達成する。
【先行技術文献】
【特許文献】
【０００３】
【特許文献１】特開２０１４−２００３５９号公報
【特許文献２】特開２００９−１８９６１２号公報
【考案の概要】
【考案が解決しようとする課題】
【０００４】
解決しようとする問題点は、すべてのフェイスパックは、美容液が汚染されないよう、染色や彩色はせず、本来の白色（単色）で作られるが、単調で味気なさを感じる。この他、自宅でフェイスパックを使用中に、他者がそれを見ると、違和感を感じ、驚く。
【０００５】
上述の事情から、本考案者は多方面での試験を経て本考案を考案し、現在のフェイスパック使用時に存在する問題を改善した。
【課題を解決するための手段】
【０００６】
本考案は、可撓性のシート状の本体を備え、また表裏相対する第一面、第二面を備え、且つ頭部で着脱自在な取り付け構造を備える。上記第一面はインクで図案を描いた表示面とし、更に第二面は疏水性を備えてフェイスパックを設置する。そして、本体は取り付け構造によってフェイスパックと共に顔部に貼り付けると、図案によって第一面に図案等の表示された優れた顔形が表示されることを最も主要な特徴とする。
【考案の効果】
【０００７】
本考案のフェイスパックの補助具は、顔部のケアに楽しみと視覚効果を添え、公知の直接フェイスパックを使用した時の突出した違和感を改善するという利点がある。
【図面の簡単な説明】
【０００８】
【図１】本考案の前視指示図である。
【図２】本考案の後視指示図である。
【図３】本考案のフェイスパック分解指示図である。
【図４】本考案の実施指示図である。
【図５】本考案の局部断面指示図である。
【考案を実施するための形態】
【０００９】
本考案は、フェイスパックの補助具を提供し、それは可撓性のシート状の本体を備え、表裏相対する第一面、第二面を備え、且つ頭部で着脱自在な取り付け構造を備える。
【００１０】
上記第一面には図案を描き、第一面に優れた顔形を表すのに用いる。
【００１１】
上記第二面は、フェイスパックを設置するのに用い、且つ該第二面は疏水性を備えて表裏を仕切る。
【００１２】
これらに拠って、本体は取り付け構造によってフェイスパックと共に顔部に貼り付け、次に図案によって第一面が優れた顔形に表示され、顔部ケアに楽しみと視覚効果を添え、公知のフェイスパックを直接使用した時の突出した違和感を改善する。
【実施例】
【００１３】
図１から図５に示すとおり、本考案は、可撓性を備えたシート状の本体１０で、それは表裏相対する第一面１１、第二面１２を備える。フェイスパック３０は、第二面１２に設置し、本体１０は、フェイスパック３０と共に顔部に貼り付け、更に該第二面１２は疏水性を備えて、フェイスパック３０に含まれる美容液を吸収しないようにする。該本体１０は他に以下を含む。
【００１４】
眼に対応する開口１３は、左右対称で第一面１１及び第二面１２を貫通する。
【００１５】
口に対応する開口１４は、第一面１１及び第二面１２を貫通する。
【００１６】
嵌合部１５は鼻部に貼り付ける。
【００１７】
取り付け構造は、本体１０から複数の連結部１６１、１６２、１６３、１６４が突出して延長して形成され、該複数の連結部１６１、１６２、１６３、１６４には、更に相対応して粘着テープ１７１、１７２、１７３、１７４、１７５、１７６を設置し、頭部で着脱自在の取り付け構造を構成して用いる。
【００１８】
定位構造は、本体１０の第二面１２の適する位置に複数の面ファスナー１８を設置し、設置したフェイスパック３０を着脱自在に用いる。
【００１９】
図案２０は、インクで第一面１１に彩色し、本体１０の保水性を高める他に、更に重要な点として、該インクの図案２０は第一面１１を優れた顔形にして表示し、耐久性と耐水性機能を備える。更に第二面１２のフェイスパック３０を汚さない。具体的に言うと、インクで西施、王昭君、貂嬋、楊貴妃…等々中国の歴史美人の顔形図案２０を描き、取り付け構造で本体１０をフェイスパック３０と共に顔部にセットすると、復古調美女が表れる。これらに拠って、本考案の図案２０はフェイスパック３０の乾燥を遅らせる機能を備えるだけでなく、更に顔部をケアの楽しみを備え、更にフェイスパック３０を使用時の際立って突出した違和感を改善する。
【００２０】
同じ道理で、本考案の図案２０はインクで第一面１１にその他可愛い、流行中の、イケメン…等々顔形を描き、本考案をフェイスパック３０と共に顔部に設置すると、第一面１１に可愛い、流行中の、イケメン…の視覚効果が表れ、これらの異なる図案２０に応じて、個人が好きなものを選ぶことができ、フェイスパック３０を使用する時の突出した違和感を大幅に改善するだけでなく、楽しみと視覚効果を大きく加える。
【００２１】
以上のとおり、本考案の全体構造の特徴は、これまで知られておらず、且つ好適なアイディアである。それらは同類の製品において知られていないものであるため、実用新案登録の申請要件に符合する。但し、本考案は一実施例にすぎず、本考案実施の範囲を制限するものではなく、本考案の請求範囲に基づく同様の効果の変化と修飾は、すべて本考案の請求範囲に含むものとする。
【符号の説明】
【００２２】
１０      本体
１１      第一面
１２      第二面
１３      眼に対応する開口
１４      眼口対応する開口
１５      嵌合部
１６１    連結部
１６２    連結部
１６３    連結部
１６４    連結部
１７１    粘着テープ
１７２    粘着テープ
１７３    粘着テープ
１７４    粘着テープ
１７５    粘着テープ
１７６    粘着テープ
１８      面ファスナー
２０      図案
３０      フェイスパック
【図１】
0003204434.tif 000003
【図２】
0003204434.tif 000004
【図３】
0003204434.tif 000005
【図４】
0003204434.tif 000006
【図５】
0003204434.tif 000007